(57)【特許請求の範囲】
【請求項１】
画像データに応じて画像を形成する画像形成手段と、
第１のモードに対応する画像データを一時的に記憶する第１記憶手段と、
前記第１のモードとは異なる第２のモードに対応する画像データを一時的に記憶する第２記憶手段と、
前記第１のモード及び第２のモードのいずれか一方を設定するモード設定手段と、
前記モード設定手段において第１のモードが設定された場合には第１のモードに対応した操作画面を表示するとともに前記第１記憶手段における記憶可能な容量の残量を第１表示形態で表示し、前記第２のモードが設定された場合には第２のモードに対応した操作画面を表示するとともに前記第２記憶手段における記憶可能な容量の残量を前記第１表示形態とは異なる第２表示形態で表示する表示手段と、
を備えたことを特徴とする画像形成装置。
【請求項２】
原稿画像を読み取って画像データを生成する画像読取手段と、
画像データに応じて画像を形成する画像形成手段と、
前記画像読取手段によって生成された画像データを一時的に記憶する第１のモードで利用される第１記憶手段と、
外部から供給された画像データを一時的に記憶する第２のモードで利用される第２記憶手段と、
前記第１のモード及び第２のモードのいずれか一方を設定するモード設定手段と、
前記モード設定手段において第１のモードが設定された場合には第１のモードに対応した操作画面を表示するとともに前記第１記憶手段における記憶可能な容量の残量を第１表示形態で表示し、前記第２のモードが設定された場合には第２のモードに対応した操作画面を表示するとともに前記第２記憶手段における記憶可能な容量の残量を前記第１表示形態とは異なる第２表示形態で表示する表示手段と、
を備えたことを特徴とする画像形成装置。
【請求項３】
原稿画像を読み取って画像データを生成する画像読取手段と、
外部から供給される画像データを受信する受信手段と、
外部から供給される画像データが入力される入力手段と、
画像データに応じて画像を形成する画像形成手段と、
前記画像読取手段によって生成された画像データを一時的に記憶する第１のモードで利用される第１記憶手段と、
前記受信手段によって受信した画像データを一時的に記憶する第２のモードで利用される第２記憶手段と、
前記入力手段から入力された画像データを一時的に記憶する第３のモードで利用される第３記憶手段と、
前記第１のモード、第２のモード、及び第３のモードのいずれか一つを設定するモード設定手段と、
前記モード設定手段において第１のモードが設定された場合には第１のモードに対応した操作画面を表示するとともに前記第１記憶手段における記憶可能な容量の残量を第１表示形態で表示し、前記第２のモードが設定された場合には第２のモードに対応した操作画面を表示するとともに前記第２記憶手段における記憶可能な容量の残量を前記第１表示形態とは異なる第２表示形態で表示し、前記第３のモードが設定された場合には第３のモードに対応した操作画面を表示するとともに前記第３記憶手段における記憶可能な容量の残量を前記第１及び第２表示形態とは異なる第３表示形態で表示する表示手段と、
を備えたことを特徴とする画像形成装置。
【請求項４】
原稿画像を読み取って画像データを生成する画像読取手段と、
外部通信機器から通信回線を介して供給される画像データを受信するとともに、前記画像読取手段により読み取った画像データを通信回線を介して外部通信機機に送信する送受信手段と、
外部機器からインタフェイスを介して供給される画像データが入力される入力手段と、
画像データに応じて画像を形成する画像形成手段と、
前記画像読取手段によって生成された画像データを前記画像形成手段に供給して原稿画像を複写する複写モードにおいて、前記画像読取手段によって生成された画像データを一時的に記憶する第１記憶手段と、
前記送受信手段によって受信した画像データを前記画像形成手段に供給して画像を形成するとともに、前記画像読取手段によって生成された画像データを送信するファクシミリモードにおいて、前記送受信手段によって受信した画像データ、及び前記画像読取手段によって生成された画像データを一時的に記憶する第２記憶手段と、
前記入力手段から入力された画像データを前記画像形成手段に供給して画像を形成するプリンタモードにおいて、前記入力手段から入力された画像データを一時的に記憶する第３記憶手段と、
前記複写モード、ファクシミリモード、及びプリンタモードのいずれか一つを設定するモード設定手段と、
前記モード設定手段において複写モードが設定された場合には複写モードに対応した操作画面を表示するとともに前記第１記憶手段における記憶可能な容量の残量を第１表示形態で表示し、前記ファクシミリモードが設定された場合にはファクシミリモードに対応した操作画面を表示するとともに前記第２記憶手段における記憶可能な容量の残量を前記第１表示形態とは異なる第２表示形態で表示し、前記プリンタモードが設定された場合にはプリンタモードに対応した操作画面を表示するとともに前記第３記憶手段における記憶可能な容量の残量を前記第１及び第２表示形態とは異なる第３表示形態で表示する表示手段と、
を備えたことを特徴とする画像形成装置。
【発明の詳細な説明】
【０００１】
【発明の属する技術分野】
この発明は、原稿画像を複写する複写機能の他に、通信回線を介して画像データを送受信するファクシミリ機能、外部装置から供給される画像データに基づいてプリントするプリンタ機能を有する画像形成装置に関する。
【０００２】
【従来の技術】
近年、原稿画像を複写する複写機能の他に、通信回線を介して画像データを送受信するファクシミリ機能、外部Ｉ／Ｆを介して外部装置から供給される画像データに基づいてプリントするプリンタ機能を備えた画像形成装置、すなわち複合型ディジタル複写装置が実用化されている。
【０００３】
このディジタル複写装置は、原稿画像を読み取って画像情報を画像データに変換するスキャナ部、及び画像データに基づいて記録媒体としての用紙上に画像を形成するプリンタ部を備えている。また、このディジタル複写装置は、複写機能においてスキャナ部によって読み取られた原稿画像の画像データ、プリンタ機能において外部装置から供給されたプリント用の画像データ、ファクシミリ機能においてスキャナ部によって読み取られた送信用の画像データ、及び、ファクシミリ機能において受信したファクシミリデータなどを一時的に保持する画像メモリを有している。
【０００４】
このような複合型ディジタル複写装置のなかには、メモリ制御を容易なものにするためや、各機能の独立性を高めるために、それぞれの機能毎に異なる独立したメモリを備えているものがある。
【０００５】
このように、機能毎にメモリを備えた画像形成装置においては、各メモリの使用できるメモリ容量が確定している反面、機能毎にその機能で使用できるメモリの残量はそれぞれ異なる状態が生じる。このメモリ残量は、画像形成装置に設けられているコントロールパネル上に表示される。
【０００６】
【発明が解決しようとする課題】
機能毎に独立したメモリを備えている画像形成装置では、メモリ残量は、使用している機能で使用可能なメモリ容量を表示するように制御されている。このメモリ残量は、各機能において同一のフォーマットで表示される。使用する機能を切り替えた場合に表示されるメモリ残量は、切り替えられた機能専用のメモリにおいて使用可能なメモリ容量が表示される。
【０００７】
しかしながら、このように各機能で同一のフォーマットでメモリ残量を表示しているため、ユーザが、画像形成装置に備えられているメモリの形態が機種毎に異なり、使用しようとする機種が機能毎に独立したメモリを備えていることを認識していない場合には、ユーザが誤操作する虞がある。例えば、ユーザが現状の機能を切り替えて他の機能で画像形成装置を使用したい場合、機能を切り替える前に表示されていたメモリ残量が、切り替え後の使用したい機能のメモリ残量であると認識してしまう虞がある。
【０００８】
より具体的には、通常、画像形成装置は、複写機能を実行する複写モードに設定されている。この時、コントロールパネル上には、複写機能用のメモリにおける使用可能なメモリ残量が表示されている。ユーザは、このメモリ残量を確認し、充分に余裕があるものとしてファクシミリ機能におけるメモリ送信を実行しようとする。そして、ユーザは、ファクシミリ機能を実行するためのファクシミリモードに設定を変更する。この時、コントロールパネル上には、ファクシミリ機能用のメモリにおける使用可能なメモリ残量が、複写機能用のメモリのメモリ残量と同一のフォーマットで表示される。このため、ユーザは、メモリ残量の表示が変更されたことに気付かない虞がある。
【０００９】
この時、ファクシミリ機能において、メモリ受信を実行してファクシミリ機能専用のメモリの残量がきわめて少ないにもかかわらず、ユーザがこのメモリ残量表示に気付かずに、メモリ送信操作を実行して、原稿画像の画像データをメモリに格納しようとすると、途中でメモリフルとなるなどのエラーが発生する虞がある。
【００１０】
また、複合型ディジタル複写装置には、機能毎に独立したメモリを備えている機種ばかりでなく、各機能で共通のメモリを備えている機種も混在するため、ユーザが使用しようとする装置がどの様な形態のメモリを備えているの格別することが困難であり、ユーザは、機種毎にメモリの形態を覚えておく必要がある。
【００１１】
そこで、この発明は、複数の機能毎にそれぞれ独立したメモリを備えた画像形成装置において、機能毎のメモリ残量の違いを視覚的な作用によってユーザに認識させ、使用時の混乱を防止できる画像形成装置を提供することを目的とする。
【００１２】
【課題を解決するための手段】
この発明は、上記問題点に基づきなされたものであって、
画像データに応じて画像を形成する画像形成手段と、
第１のモードに対応する画像データを一時的に記憶する第１記憶手段と、
前記第１のモードとは異なる第２のモードに対応する画像データを一時的に記憶する第２記憶手段と、
前記第１のモード及び第２のモードのいずれか一方を設定するモード設定手段と、
前記モード設定手段において第１のモードが設定された場合には第１のモードに対応した操作画面を表示するとともに前記第１記憶手段における記憶可能な容量の残量を第１表示形態で表示し、前記第２のモードが設定された場合には第２のモードに対応した操作画面を表示するとともに前記第２記憶手段における記憶可能な容量の残量を前記第１表示形態とは異なる第２表示形態で表示する表示手段と、
を備えたことを特徴とする画像形成装置を提供するものである。
【００１３】
また、この発明によれば、
原稿画像を読み取って画像データを生成する画像読取手段と、
画像データに応じて画像を形成する画像形成手段と、
前記画像読取手段によって生成された画像データを一時的に記憶する第１のモードで利用される第１記憶手段と、
外部から供給された画像データを一時的に記憶する第２のモードで利用される第２記憶手段と、
前記第１のモード及び第２のモードのいずれか一方を設定するモード設定手段と、
前記モード設定手段において第１のモードが設定された場合には第１のモードに対応した操作画面を表示するとともに前記第１記憶手段における記憶可能な容量の残量を第１表示形態で表示し、前記第２のモードが設定された場合には第２のモードに対応した操作画面を表示するとともに前記第２記憶手段における記憶可能な容量の残量を前記第１表示形態とは異なる第２表示形態で表示する表示手段と、
を備えたことを特徴とする画像形成装置が提供される。
【００１４】
さらに、この発明によれば、
原稿画像を読み取って画像データを生成する画像読取手段と、
外部から供給される画像データを受信する受信手段と、
外部から供給される画像データが入力される入力手段と、
画像データに応じて画像を形成する画像形成手段と、
前記画像読取手段によって生成された画像データを一時的に記憶する第１のモードで利用される第１記憶手段と、
前記受信手段によって受信した画像データを一時的に記憶する第２のモードで利用される第２記憶手段と、
前記入力手段から入力された画像データを一時的に記憶する第３のモードで利用される第３記憶手段と、
前記第１のモード、第２のモード、及び第３のモードのいずれか一つを設定するモード設定手段と、
前記モード設定手段において第１のモードが設定された場合には第１のモードに対応した操作画面を表示するとともに前記第１記憶手段における記憶可能な容量の残量を第１表示形態で表示し、前記第２のモードが設定された場合には第２のモードに対応した操作画面を表示するとともに前記第２記憶手段における記憶可能な容量の残量を前記第１表示形態とは異なる第２表示形態で表示し、前記第３のモードが設定された場合には第３のモードに対応した操作画面を表示するとともに前記第３記憶手段における記憶可能な容量の残量を前記第１及び第２表示形態とは異なる第３表示形態で表示する表示手段と、
を備えたことを特徴とする画像形成装置が提供される。
【００１５】
またさらに、この発明によれば、
原稿画像を読み取って画像データを生成する画像読取手段と、
外部通信機器から通信回線を介して供給される画像データを受信するとともに、前記画像読取手段により読み取った画像データを通信回線を介して外部通信機機に送信する送受信手段と、
外部機器からインタフェイスを介して供給される画像データが入力される入力手段と、
画像データに応じて画像を形成する画像形成手段と、
前記画像読取手段によって生成された画像データを前記画像形成手段に供給して原稿画像を複写する複写モードにおいて、前記画像読取手段によって生成された画像データを一時的に記憶する第１記憶手段と、
前記送受信手段によって受信した画像データを前記画像形成手段に供給して画像を形成するとともに、前記画像読取手段によって生成された画像データを送信するファクシミリモードにおいて、前記送受信手段によって受信した画像データ、及び前記画像読取手段によって生成された画像データを一時的に記憶する第２記憶手段と、
前記入力手段から入力された画像データを前記画像形成手段に供給して画像を形成するプリンタモードにおいて、前記入力手段から入力された画像データを一時的に記憶する第３記憶手段と、
前記複写モード、ファクシミリモード、及びプリンタモードのいずれか一つを設定するモード設定手段と、
前記モード設定手段において複写モードが設定された場合には複写モードに対応した操作画面を表示するとともに前記第１記憶手段における記憶可能な容量の残量を第１表示形態で表示し、前記ファクシミリモードが設定された場合にはファクシミリモードに対応した操作画面を表示するとともに前記第２記憶手段における記憶可能な容量の残量を前記第１表示形態とは異なる第２表示形態で表示し、前記プリンタモードが設定された場合にはプリンタモードに対応した操作画面を表示するとともに前記第３記憶手段における記憶可能な容量の残量を前記第１及び第２表示形態とは異なる第３表示形態で表示する表示手段と、
を備えたことを特徴とする画像形成装置が提供される。
【００１６】
さらにまた、この発明によれば、
画像読取手段によって読み取られた原稿画像に基づいて生成された画像データを画像形成手段に供給して原稿画像を複写する複写モードにおいて、前記画像読取手段によって生成された画像データを一時的に記憶する第１記憶手段と、
送受信手段によって受信した画像データを画像形成手段に供給して画像を形成するとともに、画像読取手段によって生成された画像データを送信するファクシミリモードにおいて、前記送受信手段によって受信した画像データ、及び前記画像読取手段によって生成された画像データを一時的に記憶する第２記憶手段と、
入力手段から入力された画像データを画像形成手段に供給して画像を形成するプリンタモードにおいて、前記入力手段から入力された画像データを一時的に記憶する第３記憶手段と、を備えた画像形成装置において、
前記複写モードが設定された場合には前記第１記憶手段における記憶可能な容量の残量を第１表示形態で表示し、
前記ファクシミリモードが設定された場合には前記第２記憶手段における記憶可能な容量の残量を前記第１表示形態とは異なる第２表示形態で表示し、
前記プリンタモードが設定された場合には前記第３記憶手段における記憶可能な容量の残量を前記第１及び第２表示形態とは異なる第３表示形態で表示することを特徴とする表示方法が提供される。
【００１７】
【発明の実施の形態】
以下、この発明の実施の一形態に係る画像形成装置について図面を参照して説明する。
この画像形成装置は、例えば原稿画像を複写する複写機能、通信回線を介して画像データを送受信するファクシミリ機能、及び、外部Ｉ／Ｆを介して外部装置から供給される画像データに基づいてプリントするプリンタ機能を備えた画像形成装置、すなわち複合型ディジタル複写装置（以下、複写装置と略称する）として構成される。
【００１８】
図１は、この複写装置の内部構造を概略的に示す断面図である。
図１に示したように、この発明の画像形成装置、例えば電子写真式ディジタル複写装置２は、画像読取部４、及び画像形成部６を有している。また、複写装置２は、この画像読取部４の上部に、画像読取部４の後述する原稿台に対して開閉可能に形成されて読取対象物としての原稿Ｄを原稿台に向けて１枚ずつ給送するとともに、原稿台に載置された原稿Ｄを原稿台に密着させる原稿押さえとして機能する原稿自動給送装置８を備えている。
【００１９】
画像読取部４は、その上部に、閉じた状態にある原稿自動給送装置８に対向されるとともに原稿Ｄがセットされる透明なガラスからなる原稿テーブル１１と、原稿テーブル１１の一端に配置されるとともに原稿テーブル１１に原稿Ｄをセットすべき位置を示す原稿スケール１２と、を有している。
【００２０】
原稿テーブル１１の下方には、原稿テーブル１１に載置された原稿Ｄを照明する露光ランプ１３、露光ランプ１３からの光ビームを原稿Ｄに集光させるための補助反射板１４、及び、原稿Ｄからの反射ビームを図中左方向に折曲げる第１ミラー１５などが配置されている。露光ランプ１３、補助反射板１４および第１ミラー１５は、第一キャリッジ１６に固定されており、第一キャリッジ１６の移動にともなって原稿テーブル１１と平行に移動可能に配置されている。なお、第一キャリッジ１６は、図示しない歯付きベルト等を介して図示しないパルスモータの駆動力が伝達されて、原稿テーブル１１に沿って平行に移動される。
【００２１】
原稿テーブル１１の図中左方、すなわち第１ミラー１５により反射された反射ビームが案内される方向には、第二キャリッジ２０が配設されている。
第二キャリッジ２０には、第１ミラー１５により案内される原稿Ｄからの反射ビームを下方に折曲げる第２ミラー２１、および図中右方に折り曲げる第３ミラー２２が互いに直角に配置されている。第二キャリッジ２０は、第一キャリッジ１６を駆動する図示しない歯付きベルトなどにより第一キャリッジ１６に従動されるとともに、第一キャリッジ１６に対して１／２の速度で原稿テーブル１１に沿って平行に移動される。
【００２２】
第一キャリッジ１６の下方であって、第二キャリッジ２０を介して折返されたビームの光軸を含む面内には、第二キャリッジ２０からの反射ビームを所定の倍率で結像させる結像レンズ２３、及び、結像レンズ２３により集束性が与えられた反射ビームを電気信号すなわち画像データに変換するＣＣＤイメージセンサ２４が配置されている。
【００２３】
画像形成部６は、複写装置２のほぼ中央に回転自在に位置された感光体ドラム３０を有している。感光体ドラム３０は、図示しないモータにより所定の回転速度で回転される。
【００２４】
感光体ドラム３０の周囲の所定の位置には、ドラム表面を所定の電荷に帯電させる帯電チャージャ３１と、感光体ドラム３０の表面に静電潜像を形成するレーザ露光装置３２、静電潜像をトナーを含む現像剤で現像してトナー像を形成する現像装置３３、後述する用紙カセットから供給された記録媒体としてのコピー用紙Ｐに感光体ドラム３０に形成されたトナー像を転写するとともにトナー像が転写された用紙Ｐを感光体ドラム３０から分離させるための転写・剥離チャージャ３４、感光体ドラム３０の表面からコピー用紙Ｐを剥離する剥離爪３５、感光体ドラム３０の表面に残留したトナーを清掃するクリーニング装置３６、及び、感光体ドラム３０の表面に残った電位を除電する除電装置３７が、順に、配置されている。
【００２５】
レーザ露光装置３２は、画像データに基づいて変調されたレーザビームを発生する半導体レーザ素子、レーザビームを偏向する光偏向装置３２ａ、偏向されたレーザビームを感光体ドラム３０上に結像させる結像光学系３２ｂ、３２ｃ、３２ｄなどを有している。そして、このレーザ露光装置３２は、半導体レーザ素子から発生されたレーザビームを感光体ドラム３０の軸線方向に沿って感光体ドラム３０の表面に照射することにより感光体ドラム３０の表面に静電潜像を形成する。
【００２６】
現像装置３３は、トナーと、トナーを所定の極性に摩擦帯電させるとともに磁気ブラシを形成するキャリアと、からなる現像剤を有している。また、現像装置３３は、感光体ドラム３０の表面上に現像剤を供給して静電潜像にトナーを付着させることにより所望の画像濃度で現像する現像ローラ３３ａを有している。
【００２７】
感光体ドラム３０の下方に位置される複写装置２の底部には、複写装置２の正面側より着脱自在に上下複数段に装着された多段給紙装置４０が配置されている。
【００２８】
多段給紙装置４０は、さまざまな大きさのコピー用紙Ｐを複数種類収納するための上段カセット４１、中段カセット４２および下段カセット４３を含んでいる。それぞれのカセット４１，４２および４３は、たとえば、長手方向に沿って搬送されるよう置かれたＡ４サイズのコピー用紙、Ｂ４サイズのコピー用紙およびＡ３サイズのコピー用紙を、それぞれ、５００枚程度収納可能に形成されている。
【００２９】
上段カセット４１、中段カセット４２および下段カセット４３の所定の位置には、それぞれのカセット４１，４２および４３から用紙Ｐを１枚づつ取り出すピックアップローラ４４ａ，４４ｂおよび４４ｃが配置されている。
【００３０】
それぞれのピックアップローラ４４ａ，４４ｂおよび４４ｃにより各カセット４１，４２および４３から取り出された用紙Ｐの先端部が通過される位置には、用紙Ｐを１枚づつ分離するための搬送ローラ４５ａ，４５ｂおよび４５ｃと、それぞれの搬送ローラと一体的に配置された分離ローラ４６ａ，４６ｂおよび４６ｃが配置されている。分離ローラ４６ａ，４６ｂおよび４６ｃは、それぞれ、相互に組み合わせられた搬送ローラに対して軸線が平行に、かつ、所定の圧力で接触するよう配置されるとともに、搬送ローラの回転方向と逆方向に回転されることで、各カセットから取り出された用紙Ｐの最も上の１枚のみを後述する搬送路へ送出する。
【００３１】
多段給紙装置４０の図中右方には、使用頻度の高いサイズの用紙、たとえば、Ａ４サイズの用紙Ｐを３０００枚程度収納可能に形成された大容量フィーダ４７が設けられている。大容量フィーダ４７の所定の位置には、大容量フィーダ４７に収容された用紙Ｐを１枚づつ取り出すピックアップローラ４８が配置されている。ピックアップローラ４８と感光体ドラム３０との間には、上下一対に組み合わせられた搬送ローラ４９ａおよび分離ローラ４９ｂを含む分離機構４９が配置されている。分離機構４９は、分離ローラ４９ｂを搬送ローラ４９ａが回転される方向に対して逆方向に回転させることで、ピックアップローラ４８により大容量フィーダ４７から取り出された用紙Ｐの最も上の１枚のみを後述する搬送路へ送出する。
【００３２】
大容量フィーダ４７の上部には、各カセット４１，４２，４３および大容量フィーダ４７とは独立に、コピー用紙Ｐを給送可能な手差しフィーダ５０が形成されている。
【００３３】
手差しフィーダ５０と感光体ドラム３０との間には、手差しフィーダ５０に挿入された用紙Ｐを取り込む手差し用ピックアップローラ５１、ピックアップローラ５１により取り込まれた用紙Ｐをガイドする手差しガイド５２、及び、手差しガイド５２を介して感光体ドラム３０に向かって案内される用紙Ｐを搬送する搬送ローラ５３が設けられている。
【００３４】
それぞれのカセット４１，４２および４３ならびに大容量フィーダ４７と感光体ドラム３０との間には、各カセット４１，４２および４３ならびに大容量フィーダ４７から感光体ドラム３０に向かって用紙Ｐを案内する搬送路５４が形成されている。この搬送路５４は、さらに、感光体ドラム３０と転写・剥離チャージャ３３との間に規定される転写領域を経て、複写装置２の外部まで延出されている。また、搬送路５４には、いずれかのカセットまたは大容量フィーダもしくは手差しガイドから給送された用紙Ｐを、感光体ドラム３０に向かって搬送するための複数の搬送ローラ５５が設けられている。
【００３５】
搬送路５４の感光体ドラム３０の近傍、かつ、上流側には、搬送路５４を案内されたコピー用紙Ｐの傾きを補正するとともに、感光体ドラム３０上のトナー像の先端とコピー用紙Ｐの先端とを整合させ、感光体ドラム３０の外周面の移動速度と同じ速度でコピー用紙Ｐを、転写領域へ給紙するアライニングローラ５６が配設されている。また、アライニングローラ５６の手前すなわち搬送ローラ５５側には、アライニングローラ５６へのコピー用紙Ｐの到達を検出するアライニングセンサ５６ａが設けられている。
【００３６】
転写領域を通過された用紙Ｐが進行する方向には、用紙Ｐを搬送する搬送ベルト５７が組み込まれている。搬送ベルト５７により用紙Ｐが搬送される方向であって、感光体ドラム３０に対して熱を与えにくい位置には、ローラ表面が互いに圧接されたヒートローラ対を含み、トナー像が転写された用紙Ｐを加熱することでトナー像を溶融させつつトナー像と用紙Ｐとを加圧して用紙Ｐにトナー像を定着させる定着装置５８が設けられている。
【００３７】
定着装置５８に対向した複写装置２の側壁には、定着装置５８によりトナー像が定着された用紙Ｐが排出されるフィニッシャ５９が配置されている。
フィニッシャ５９は、排紙ローラ６２から排出されるコピー用紙Ｐをフェイスダウンするローラ対５９ａ、ローラ対５９ａにより用紙Ｐが排紙される排紙トレイ５９ｂ、及びステープルソートモードの際に１部毎にステープルするステープラ７４ｃを有している。
【００３８】
定着装置５８とフィニッシャ５９との間には、定着装置５８によりトナー像が定着されたコピー用紙Ｐを、後述する用紙反転部あるいはフィニッシャ５９のいづれかに案内する排出切換ユニット６０が配置されている。
【００３９】
排出切換ユニット６０は、定着装置５８を通過された用紙Ｐを推進する第１および第２の排出ローラ６１および６２、及び、第１および第２の排出ローラ６１および６２の間に配置され、定着装置５８を通過されたコピー用紙Ｐをフィニッシャ５９あるいは後述する用紙反転部のいづれかに選択的に振り分ける振り分けゲート６３を有している。
【００４０】
反転機構６４は、既に転写領域および定着装置５８を通過されたコピー用紙Ｐを一時的に集積する一時集積部６５、定着装置５８を通過したコピー用紙Ｐの表裏を反転して一時集積部６５に導く反転路６６、一時集積部に集積されたコピー用紙Ｐを一枚づつ取り出すピックアップローラ６７、一時集積部６５に収容された用紙Ｐを再びアライニングローラ５６に案内する搬送路６８、及び、搬送路６８に案内された用紙Ｐをアライニングローラ５６に向かって給紙する給紙ローラ６９を有している。
【００４１】
原稿自動給送装置８は、自身の後端縁部が複写装置２の上面後端縁部に図示しないヒンジ装置を介して取付けられたカバー７１を有し、必要に応じて原稿自動給送装置８全体を回動変位させることで、既に説明したように、画像読取部４の原稿テーブル１１に対して開閉可能に形成されている。
【００４２】
カバー７１の上面のやや左方向部位には、複数枚の原稿Ｄを保持する原稿給紙台７２が設けられている。原稿給紙台７２の図中左方すなわち原稿自動給送装置８の一端側には、原稿給紙台７２にセットされた原稿Ｄを順次一枚ずつ取出すとともに、図中左端側から画像読取部４の原稿テーブル１１の一端側に供給するためのピックアップローラ７３が配置されている。
【００４３】
原稿給紙台７２の所定の位置には、原稿給紙台７２への原稿Ｄがセットされたか否かを検知する原稿検知センサとしてのエンプテイセンサ７３が配設されている。なお、原稿給紙台７２には、原稿テーブル１１に原稿Ｄがセットされた位置を検知する原稿位置検知センサ１７と同様に機能する図示しない原稿幅検知センサが配置されてもよい。
【００４４】
ピックアップローラ７３の原稿取出し方向には、ピックアップローラ７３により取り出された原稿Ｄを原稿テーブル１１に向けて送出する給紙ローラ７４、及び、給紙ローラ７４により給送された原稿Ｄの先端を整位するアライニングローラ７５が配置されている。
【００４５】
アライニングローラ７５と給紙ローラ７４との間には、原稿Ｄのアライニングローラ７５への到達を検出するアライニングセンサ７５ａが配置されている。
カバー７１の内側であって、原稿自動給送装置８が閉じられた状態で画像読取部４の原稿テーブル１１と対向される位置には、原稿テーブル１１のほぼ全体を覆う大きさが与えられ、ピックアップローラ７３、給紙ローラ７４およびアライニングローラ７５を介して原稿給紙台７２から搬送された原稿Ｄを原稿テーブル１１の所定の位置に搬送する搬送ベルト７６が配置されている。搬送ベルト７６は、図中左右一対に配置されたベルトローラ７７に掛渡され、図示しないベルト駆動機構によって、図中右側および図中左側の両方向に向けて回転される。
【００４６】
原稿自動給送装置８の右側部位には、搬送ベルト７６により図中左側から図中右側に移動される原稿Ｄをカバー７１の外側に向けて送出する反転ローラ７８、反転ローラ７８に原稿Ｄを押し付けるピンチローラ７９、反転ローラ７８とピンチローラ７９により搬送される原稿Ｄを、再び搬送ベルト７６へ戻すか所定の排出位置すなわちカバー７１上に排出させるかを切り換えるフラッパ８０、フラッパ８０が排出側に切り換えられている場合に、反転ローラ７８により搬送された原稿Ｄを排出させる排紙ローラ８１、及び、反転ローラ７８の近傍での原稿のジャムを検知するジャムセンサ８２などが配置されている。
【００４７】
また、装置本体２の前面上部には、図２に示すように、様々な複写条件並びに複写動作を開始させる複写開始信号などを入力するコントロールパネル２００が設けられている。
【００４８】
図２に示すように、コントロールパネル２００には、複写機能を実行するための複写モードを設定する複写ボタン２０２、ファクシミリ機能を実行するためのＦＡＸモードを設定するＦＡＸボタン２０４、及びプリンタ機能を実行するためのプリンタモードを設定するプリンタボタン２０６が設けられている。
【００４９】
また、コントロールパネル２００には、複写モードにおいて複写枚数などの数値を入力するためのテンキー２０８、複写の開始を指示する複写ボタン２１０、複写枚数を訂正するときや複写動作を停止させるときなどに使用されるクリア／ストップボタン２１２、選択したモードや各種設定した条件等をすべてクリアするオールクリアボタン２１４、及び、複写倍率を設定するための倍率設定ボタン２１６が設けられている。
【００５０】
さらに、コントロールパネル２００には、画像を形成したい用紙のサイズを選択設定するための用紙サイズボタン２１８、原稿台に載置された原稿のサイズを検知して自動的に用紙サイズを設定する自動用紙選択ボタン２２０、原稿サイズを設定するための原稿サイズボタン２２２、及び、用紙サイズボタン２１８によって設定された用紙サイズと検知した原稿サイズとに基づいて自動的に複写倍率を設定する自動倍率選択ボタン２２４が設けられている。
【００５１】
これらの各種設定ボタンの他に、さらに、設定されたモードの内容や操作手順などの案内情報を表示させる操作ガイドボタン２２６、予熱状態を設定する予熱ボタン２２８、プリンタ部の動作中に割り込みを指示する割り込みボタン２３０などが設けられている。
【００５２】
そして、このコントロールパネル２００の略中央には、装置の状態、操作手順、及び、ユーザに対して各種のメッセージを文字や図形で表示するタッチパネル式の液晶表示装置（ＬＣＤ）によって構成された表示パネル２４０が設けられている。この表示パネル２４０は、各機能毎にその操作が画面を表示するものである。
【００５３】
表示パネル２４０は、例えば図３に示すように、ユーザに情報を提供するための上段２４２ａ、中段２４２ｂ、下段２４２ｃの３つのエリアからなるメッセージエリア２４２と、タイトル切り替えボタンが配置されたタイトルエリア２４４と、アイコンを表示するためのフィ―ルドエリア２４６を有している。
【００５４】
次に、図４乃至図６を参照して図１に示した画像形成装置の制御回路について説明する。
図４は、図１に示した複写装置２の各機能を説明するために制御部の構成を概略的に示した図であり、図５は、図４に示した制御部に含まれる基本部及びページメモリ部の構成を概略的に示した図であり、図６は、図５に示した基本部に含まれる基本制御部の詳細な構成を示すブロック図である。
【００５５】
図４に示すように、複写装置２は、装置全体を統括制御する制御部３００を有している。この制御部３００には、上述したスキャナ部４、及びプリンタ部６が接続され、これらの駆動を制御するとともに、スキャナ部４で読み取られた原稿の画像データを処理し、スキャナ部４、プリンタケーブル４０２、電話回線４０４を介して供給された画像データを用紙上に形成する画像に対応した画像データとしてプリンタ部６に出力する。
【００５６】
制御部３００は、プリンタケーブル４０２を介して供給された印刷データを処理してプリンタ部６でプリント可能な画像データに変換し、プリンタ部６に出力するプリンタ機能部３００Ｐを有している。このプリンタ機能部３００Ｐには、プリンタ機能専用のメモリＭＰが接続されている。このメモリＭＰには、プリンタケーブル４０２を介して供給された画像データが一時的に記憶される。
【００５７】
また、制御部３００は、電話回線４０４を介して供給されたファクシミリデータ（以下、ＦＡＸデータと称する）を処理してプリント部６でプリント可能な画像データに変換するとともに、スキャナ部４で読み取られた原稿の画像データを処理して、プリンタ部６に出力するファクシミリ機能部（以下、ＦＡＸ機能部と称する）３００Ｆを有している。このＦＡＸ機能部３００Ｆには、ＦＡＸ機能専用のメモリＭＦが接続されている。このメモリＭＦには、電話回線４０４を介して供給されたＦＡＸデータが受信画像データとして一時的に記憶されるとともに、スキャナ部４で読み取られた画像データを送信画像データとして一時的に記憶される。
【００５８】
さらに、制御部３００は、スキャナ部４によって読み取られた原稿の画像データを処理して、プリンタ部６に出力する複写機能部３００Ｃを有している。この複写機能部３００Ｃには、複写機能専用のメモリＭＣが接続されている。このメモリＭＣには、スキャナ部４から供給された画像データが一時的に記憶される。
【００５９】
この複写装置２の制御システムは、図５に示すように、基本部３０１と、ページメモリ部３０２とによって構成されている。基本部３０１は、スキャナ部４とプリンタ部６との間を画像処理部３１４で繋ぎ、基本制御部３１１で制御される複写装置の基本構成部を構成する。ページメモリ部３０２は、この基本部３０１からの画像データを受け取って記憶し、その記憶した画像データを再び基本部３０１に転送することでメモリコピー（電子ソート）を実現する。
【００６０】
基本部３０１とページメモリ部３０２は、制御データをやりとりする基本部システムインタフェース３１６、画像データをやりとりする基本部画像インタフェース３１７とで接続されている。
【００６１】
基本部３０１は、スキャナ部４、プリンタ部６、画像処理部３１４、およびこれらを制御するＣＰＵを含む基本部３１１を有している。
図６に示すように、基本制御部３１１のメインＣＰＵ１００には、ＲＯＭ１０２、ＲＡＭ１０４、プリンタ機能専用のメモリＭＰ、ＦＡＸ機能専用のメモリＭＦ、複写機能専用のメモリＭＣ、内部インタフェース１２２、外部インターフェース１２３、ファクシミリインターフェース１２６、プリンタインターフェース１２８、補助記憶装置インターフェース１３０、２値画像データを拡大したり縮小する画像変換回路１３２、画像データを圧縮したり伸長したりする圧縮／伸長回路１３４などが接続されている。
【００６２】
ＦＡＸ機能専用のメモリＭＦは、図７に示したように、送受信メモリエリアＭＦ−１と、受信専用メモリエリアＭＦ−２とで構成され、たとえばそれぞれ７６８ＫＢおよび２５６ＫＢの容量が割り当てられている。送受信メモリエリアＭＦ−１は、スキャナ部４から読み込まれた送信用の原稿の画像データを所定のタイミングで自動的に送信する自動送信モードや、電話回線を介して供給されたＦＡＸデータを自動的に受信し、所定のタイミングで出力する自動受信モードにおいて、一時的に画像データを記憶するために用いられる。
【００６３】
受信専用メモリエリアＭＦ−２は、送受信メモリエリアＭＦ−１がメモリフル状態になっても受信が続行できるように設けられるもので、送信時の使用は禁止とされている。
【００６４】
内部インタフェース１２２には、図２及び図３を用いて既に説明したコントロールパネル２００が接続されている。外部インターフェース１２３には、外部装置１２４が接続されている。ファクシミリインターフェース１２６には、電話回線４０４を介して外部のファクシミリなどの外部通信機器１３７が接続されている。プリンタインターフェース１２８には、プリンタケーブル４０２を介してパーソナルコンピュータなどの外部装置１３８が接続されている。補助記憶装置インターフェース１３０には、ＩＣカード用リーダ・ライタ１４２やハードディスクドライブ１４４等が接続されている。
【００６５】
ファクシミリインターフェース１２６は、電話回線４０４へ通信するためのモデム、電話回線４０４へ接続するためのインターフェースとしてのＮＣＵなどを含んでいる。
【００６６】
このような構成において、ファクシミリ機能を用いて文書などの画像データを送信する際には、メインＣＰＵ１００は、スキャナ部４から取り込んだ例えば文書の画像データをＦＡＸ機能専用メモリＭＦに記憶させる。この記憶された画像データは、送信先の用紙サイズに応じて必要に応じて画像変換回路１３２により拡大または縮小し、このサイズ変換した画像データを圧縮／伸長回路１３４により符号化した後、ファクシミリインターフェース１２６および電話回線４０４を介して送信先の外部通信機器１３７へ送信する。
【００６７】
また、ファクシミリ機能を用いて画像データを外部から受信する際には、送信元の外部通信機器１３７から電話回線４０４およびファクシミリインターフェース１２６を介して供給される画像データが画像メモリ１０６に記憶される。この際、この画像データは、圧縮／伸長回路１３４により復号化した後、ＦＡＸ機の専用メモリＭＦに記憶し、所定のタイミングでプリンタ部６へ出力される。
【００６８】
複写機能を用いて原稿画像を複写する際には、メインＣＰＵ１００は、スキャナ部４から取り込んだ例えば文書などの画像データを複写機能専用メモリＭＣに記憶させる。この記憶された画像データは、画像処理部で所定の画像処理が施された後、所定のタイミングでプリンタ部６に出力される。
【００６９】
プリンタ機能を用いて外部から供給された画像データを出力する際には、外部装置１３８からプリンタケーブル４０２およびプリンタインターフェース１２８を介して供給される画像データがプリンタ機能専用メモリＭＰに記憶される。この際、この記憶された画像データは、所定のタイミングでプリンタ部６へ出力される。
【００７０】
画像データの記憶／呼び出しは、メインＣＰＵ１００によって行われる。例えば画像データを記憶する場合、スキャナ部４によって読みこまれた画像データ、電話回線４０４を介して供給されたＦＡＸデータとしての画像データ、及びプリンタケーブル４０２を介して供給された印刷データとしての画像データは、メインＣＰＵ１００の指示によりそれぞれ機能毎に設けられた専用のメモリＭＦ，ＭＣ，ＭＰに記憶される。メインＣＰＵ１００の指示は、コントロールパネル２００からのモード指定キ―入力によって決定されたモードに従って行われる。
【００７１】
ＲＡＭ１０４には、パラメータテーブル１０４ａが設定されるようになっている。このパラメータテーブル１０４ａには、コントロールパネル２００におけるキー操作により設定された種々の条件が記憶され、設定されない条件は、たとえばＲＯＭ１０２に記憶された規定値が対応する。この条件として設定されるパラメータは、複写時の画像処理パラメータ類、各種設定条件、変倍設定機能のオン／オフ、送信先として登録されている電話番号等である。
【００７２】
次に、ページメモリ部３０２について図５を参照して説明する。ページメモリ部３０２は、基本部３０１からのページメモリ（ＰＭ）３２３へのアクセスを制御し、通信メモリ３０５を内蔵するシステム制御部３０４、画像データを一時的に記憶しておくページメモリ３２３、ページメモリ３２３のアドレスを生成するアドレス制御部３０６、ページメモリ部３０２内の各デバイス間のデータ転送を行う画像バス３２０、ページメモリ部３０２内の各デバイスとシステム制御部３０４との間の制御信号の転送を行う制御バス３２１、画像バス３２０を介してページメモリ３２３と他のデバイスとのデータ転送を行うときのデータ転送を制御するデータ制御部３０７を備えている。
【００７３】
また、このページメモリ部３０２は、基本部画像インタフェース３１７を介して基本部３０１との間で画像データを転送するときに画像データをインタフェース処理する画像データインターフェース（Ｉ／Ｆ）３０８、解像度の異なる機器に画像データを送信するときに画像データを他の機器の解像度に変換したり、解像度の異なる機器から受信した画像データを基本部３０１のプリンタ部６の解像度に変換したり、２値画像データの９０度回転処理を実行する解像度変換／２値回転部３２５、ファクシミリ送信や光ディスク記憶のように画像データを圧縮して送信したり記憶したりするデバイスのために，入力した画像データを圧縮したり、圧縮された形態の画像データをプリンタ部６を介して可視化するために伸長する圧縮／伸長部３２４、画像データＩ／Ｆ３０８に接続され、プリンタ部６から画像データを出力するときに画像データを９０度あるいは−９０度回転して出力するときに使用する多値回転メモリ３０９などを備えている。
【００７４】
この実施の形態に係る複写装置は、複写機能の他に、ＦＡＸ機能、及びプリンタ機能を備えているとともに、各機能毎に専用のメモリを備えている。すなわち、この複写装置は、複写機能においてスキャナ部４で読み取った原稿の画像データを一時的に保持する複写機能専用メモリＭＣ、ＦＡＸ機能において送受信用の画像データを一時的に保持するＦＡＸ機能専用メモリＭＦ、及びプリンタ機能において印刷データに対応した画像データを一時的に保持するプリンタ機能専用メモリＭＰを備えている。
【００７５】
そして、この複写装置では、各メモリの残量をそれぞれ異なる表示形態で表示するように制御されている。図８の（ａ）乃至（ｄ）には、メモリ残量の表示形態の一例が示されている。図８の（ａ）には、メモリ残量を棒グラフで表わした表示形態の例であり、（ｂ）は、メモリ残量を数字で表わした表示形態の例であり、（ｃ）は、円グラフでメモリ残量を表わした表示形態の例であり、（ｄ）は、棒グラフと数字とを組み合わせた表示形態の一例を示す図である。ここで示した表示形態の他に、他の図形や、図形と数字とを組み合わせた表示形態が適用されてもよい。また、表示形態を変更するだけではなく、表示位置を変更したり、表示を点滅させたりする方法も適用可能である。これらを組み合わせて使用することにより、さらにユーザの注意を引きつけやすい形態とすることも可能である。
【００７６】
この実施の形態では、複写モードにおいて図８の（ａ）に示したような棒グラフを利用した表示形態を適用し、ＦＡＸモードにおいて図８の（ｂ）に示したような数字を利用した表示形態を適用し、またプリンタモードにおいて図８の（ｃ）に示したような円グラフを利用した表示形態を適用している。
【００７７】
この複写装置のメインＣＰＵ１００は、ユーザによりコントロールパネル２００を介して動作モードが切り換えられる際に、切り替えられたモードにおける専用のメモリの残量をコントロールパネル２００の表示パネル２４０に表示させるように制御する。
【００７８】
例えば、ユーザにより、コントロールパネル２００における複写モードを設定する複写ボタン２０２が操作されると、ＣＰＵ１００は、コントロールパネル２００の表示パネル２４０におけるメッセージエリア上段２４２ａに、図９に示すようなメッセージを表示させる。図９に示すように、メッセージエリア上段２４２ａには、複写倍率、複写枚数、用紙サイズ、及び図８の（ａ）に示したような表示形態のメモリ残量が表示される。ここで表示されているメモリ残量は、複写機能専用に設けられたメモリＭＣの残量を示すものである。なお、ユーザが特にモード設定しない場合、通常は、複写モードに設定され、表示パネル２４０には、複写モード用の操作画面が表示されている。
【００７９】
ユーザにより、コントロールパネル２００におけるＦＡＸモードを設定するＦＡＸボタン２０４が操作されると、ＣＰＵ１００は、表示パネル２４０の表示を切り替えてＦＡＸモード用の操作画面を表示させる。そして、メッセージエリア上段２４２ａに、図１０に示すようなメッセージを表示させる。図１０に示すように、メッセージエリア上段２４２ａには、画像出力倍率、出力枚数、用紙サイズ、及び図８の（ｂ）に示したような表示形態のメモリ残量が表示される。ここで表示されているメモリ残量は、ＦＡＸ機能専用に設けられたメモリＭＦの送受信メモリエリアの残量を示すものである。
【００８０】
ユーザにより、コントロールパネル２００におけるプリンタモードを設定するプリンタボタン２０６が操作されると、ＣＰＵ１００は、表示パネル２４０の表示を切り替えてプリンタモード用の操作画面を表示させる。そして、メッセージエリア上段２４２ａに、図１１に示すようなメッセージを表示させる。図１１に示すように、メッセージエリア上段２４２ａには、画像出力倍率、出力枚数、用紙サイズ、及び図８の（ｃ）に示したような表示形態のメモリ残量が表示される。ここで表示されているメモリ残量は、プリンタ機能専用に設けられたメモリＭＰの残量を示すものである。
【００８１】
このように、各機能の操作画面におけるメモリ残量の表示をそれぞれ異なる表示形態とすることにより、ユーザが選択した機能毎のメモリ残量を表示するように制御される。このように表示形態を変更することにより、視覚的な効果によってユーザか機能毎にメモリ残量が異なることに気付きやすくなり、ユーザがメモリ残量を混同して不適切な操作を行うことを防止することができる。
【００８２】
次に、ユーザの操作と、これに対応した複写装置の動作との流れの具体例について説明する。
図１２には、ユーザが機能選択ボタンを押して、表示パネルの画面を切り替え、先に表示されていた画面の機能とは異なる機能を利用しようとする際に複写装置の処理の流れと、ユーザの操作を表わしたフローチャートである。
【００８３】
ここでは、ユーザが複写モードからＦＡＸモードに切り替え、ＦＡＸ送信する際の流れを示している。
まず、複写装置の表示パネル２４０には、複写モードの操作画面が表示されている。このため、メッセージエリア上段２４２ａには、複写機能で使用可能なメモリ残量、すなわち複写機能専用メモリＭＣの残量が例えば図９に示したような表示形態で表示されている。
【００８４】
ユーザは、複写装置の前に立つと、この表示パネル２４０の表示内容を目視し、メモリ残量を確認する。
そして、ユーザは、所望の機能、例えばＦＡＸ機能を選択するために、ＦＡＸボタン２０４を押す。
【００８５】
このようなユーザの操作に基づいて、ＣＰＵ１００は、表示パネル２４０の表示画面を切り替え、ＦＡＸモード用の操作画面を表示させる。もちろん、この時、メモリ残量の表示形態も変更する。つまり、メッセージエリア上段２４２ｂには、ＦＡＸ機能で使用可能なメモリ残量、すなわちＦＡＸ機能専用メモリＭＦの残量が例えば図１０に示すような表示形態で表示される。
【００８６】
このように、表示パネル２４０の操作画面が切り替わる際に、メモリ残量の表示も変更することにより、視覚的な違いによってユーザの注意を引くことができる。これにより、ユーザがＦＡＸ操作画面を操作しようとする際に、メモリ残量の表示の違いに気が付けば、メモリ残量を再確認し、メモリ残量の値の変化に気が付く。これにより、ユーザが現在設定されている機能であるＦＡＸモードで使用可能なメモリ残量を正しく認識する可能性を向上することができる。
【００８７】
ユーザがメモリ残量を再確認し、ＦＡＸ機能におけるメモリの残量が少ないことを認識させることにより、ユーザがメモリ残量が少ないにもかかわらず、誤って自動送信モードを選択し、メモリフルエラーを発生させるような誤操作を防止することが可能である。
【００８８】
ユーザがＦＡＸ機能におけるメモリ残量が少ないことを認識し、ＦＡＸダイレクト送信モード、すなわちスキャナ部４で読み取った送信用原稿の画像データを順次送信先に送信するモードを選択することにより、複写装置のＣＰＵは、ＦＡＸ機能部に対してＦＡＸダイレクト送信処理を実行させるように指示する。
【００８９】
この実施の形態では、メモリ残量を種々の表示形態で表示することにより、メモリに記憶可能な原稿枚数や、自動送信モード／ダイレクト送信モードの判断は、ユーザによって行われていたが、例えば、メモリ残量が少ない場合に、選択された用紙サイズの画像データを記憶できる枚数を表示したり、装置側から積極的にダイレクト送信を指示するようなメッセージ表示や音声案内をしてもよい。
【００９０】
上述したように、この複写装置によれば、複写装置でのメモリ残量の表示を機能切り替えにおける画面の更新に合わせて表示形態を変更することにより、ユーザの注意を引きつけ、ユーザに対してメモリ残量表示を再確認させるように促す効果を向上させることが可能となり、メモリ残量を先の画面のものと混同してユーザが誤操作するようなことを防止することができる。
【００９１】
このため、例えばＦＡＸ機能を利用する際に、メモリ残量が少ないにもかかわらず、メモリを使用することによるメモリフルが発生する虞を抑制することができる。
【００９２】
また、各機能毎にメモリの表示形態を変更することにより、ユーザに対して機能毎にメモリ残量が異なることを知らせることができ、ユーザが機種毎にメモリの表示形態を覚えておく必要もなくなる。そして、メモリ残量が機能によって異なることをユーザが意識するようになると、ユーザは操作前に選択した機能でのメモリ残量を必ず確認するようになるという教育的な効果も得られる。
【００９３】
【発明の効果】
以上詳述したように、この発明によれば、複数の機能毎にそれぞれ独立したメモリを備えた画像形成装置において、機能毎のメモリ残量の違いを視覚的な作用によってユーザに認識させ、使用時の混乱を防止できる画像形成装置を提供することができる。
【図面の簡単な説明】
【図１】  図１は、この発明の実施の一形態に係る画像形成装置、すなわちディジタル複写装置の構成を概略的に示す断面図である。
【図２】  図２は、図１に示した画像形成装置に備えれるコントロールパネルを概略的に示す平面図である。
【図３】  図３は、図２に示したコントロールパネルにおける表示パネルの構成を示す平面図である。
【図４】  図４は、図１に示した画像形成装置の各機能を説明するための制御部の構成を概略的に示した図である。
【図５】  図５は、図４に示した制御部に含まれる基本部及びページメモリ部の構成を概略的に示す図である。
【図６】  図６は、図５に示した基本部に含まれる基本制御部の詳細な構成を示すブロック図である。
【図７】  図７は、図６に示したＦＡＸ機能専用メモリの容量を示す図である。
【図８】  図８の（ａ）乃至（ｄ）は、メモリ残量の表示形態の一例を示す図である。
【図９】  図９は、複写機能において表示パネルに表示される操作画面の一例を示す図である。
【図１０】  図１０は、ＦＡＸ機能において表示パネルに表示される操作画面の一例を示す図である。
【図１１】  図１１は、プリンタ機能において表示パネルに表示される操作画面の一例を示す図である。
【図１２】  図１２は、ユーザの操作と、これに対応した画像形成装置の動作との流れの一例を示す図である。
【符号の説明】
２…画像形成装置
４…スキャナ部
６…プリンタ部
１００…メインＣＰＵ
１０２…ＲＯＭ
１０４…ＲＡＭ
１２２…内部インタフェース
１２３…外部インタフェース
１２６…ファクシミリインターフェース
１２８…プリンタインタフェース
１３７…外部通信機機
１３８…外部装置
２００…コントロールパネル
２０２…複写ボタン
２０４…ＦＡＸボタン
２０６…プリンタボタン
２４０…表示パネル
３００…制御部
３０１…基本部
３０２…ページメモリ部
４０２…プリンタケーブル
４０４…電話回線
【図１】
0003662695.tif 000002
【図２】
0003662695.tif 000003
【図３】
0003662695.tif 000004
【図４】
0003662695.tif 000005
【図５】
0003662695.tif 000006
【図６】
0003662695.tif 000007
【図７】
0003662695.tif 000008
【図８】
0003662695.tif 000009
【図９】
0003662695.tif 000010
【図１０】
0003662695.tif 000011
【図１１】
0003662695.tif 000012
【図１２】
0003662695.tif 000013